(57)【特許請求の範囲】
【請求項１】
密封継手アセンブリであって、
中央ボアが画成された端部部分と、外側表面から所定距離伸長しボア中で終端している内部流体連通手段とを有し、該内部流体連通手段は受け取り通路と、受け取り通路の両側に配置された第１及び第２排出通路と、端部部分を貫通し第１排出通路と、受け取り通路と、第２排出通路を横切ってこれらを連通する横断通路とを含んでいる、第１部材と；
第１部材に移動可能に連結され、ボア中に摺動可能に配置されて第１部材と協働して継手を画成する第２部材と；
各々内側表面と外側表面を有し、ボア中の環状路中に配置されて第２部材の外周を包囲する一対の離間したシール手段と；
内部流体連通手段に流体的に連通されている一対のシール手段に隣接するボア中に画成されたキャビティと；
受け取り通路中の流体を継手に差し向けて一対のキャビティ中に蓄積させ、キャビティ中での流体の蓄積がキャビティ中の圧力を増加させる流体供給手段と；
継手アセンブリ中で流体を保持し、流体の外部との連通を防止するために、受け取り通路、第１及び第２排出通路及び横断通路中に設けられた閉塞手段と；
を具備したことを特徴とする密封継手アセンブリ。
【請求項２】
一対のキャビティは排出通路に隣接して配置されており、受け取り通路と排出通路はシール手段から所定距離離れて配置されていることを特徴とする請求項１記載の密封継手アセンブリ。
【請求項３】
排出通路はシール手段と受け取り通路との間に位置付けされていることを特徴とする請求項１記載の密封継手アセンブリ。
【請求項４】
排出通路はシール手段に隣接していることを特徴とする請求項２記載の密封継手アセンブリ。
【請求項５】
建設機械のイコライザバーに使用するための密封ピン継手アセンブリであって、
ボアが画成された端部部分と、外部表面から所定距離伸長してボア中で終端する内部流体連通手段とを有し、該内部流体連通手段は受け取り通路と、一対の排出通路と、受け取り通路と一対の排出通路を流体的に連通する横断通路とを含んでいる、イコライザバーと；
イコライザバーに移動可能に連結され、ボア中に摺動可能に配置されてピン継手を画成するピンと；
各々内側表面と外側表面を有し、ボア中の環状路内に配置されピンの外周を包囲する一対のシール手段と；
一対のシール手段の間のボア中に配置されてピンの外周を包囲し、その端部がシール手段の内側表面に隣接して位置付けされて前記内部流体連通手段と流体的に連通する一対のキャビティを両者の間に画成し、一対のキャビティのうちの一方は一対の排出通路の一方と連通しており、一対のキャビティの他方は一対の排出通路の他方と連通している、軸受アセンブリと；
受け取り通路中の流体をピン継手に差し向けて一対のキャビティ中に蓄積させ、一対のキャビティ中での流体の蓄積がキャビティ中での圧力を増加させる流体供給手段と；
流体を継手アセンブリ中で保持し、流体の外部との連通を防止するために、受け取り通路、一対の排出通路及び横断通路中に配置された閉塞手段と；
を具備したことを特徴とする密封ピン継手アセンブリ。
【請求項６】
一対のキャビティの各々は一対の排出通路の各々に隣接して配置されており、受け取り通路と排出通路はシール手段から所定距離離間して配置されていることを特徴とする請求項５記載の密封ピン継手アセンブリ。
【請求項７】
一対の排出通路の一方は一対のシール手段の一方と受け取り通路との間に配置され、一対の排出通路の他方は一対のシール手段の他方と受け取り通路との間に配置されていることを特徴とする請求項５記載の密封ピン継手アセンブリ。
【請求項８】
排出通路は各シール手段に隣接していることを特徴とする請求項６記載の密封ピン継手アセンブリ。
【発明の詳細な説明】
【０００１】
【発明の属する技術分野】
本発明は一般的に潤滑継手（ジョイント）に関し、特に、継手中での圧力の過度の上昇を避けるために圧力の均一化能力を有する潤滑継手に関する。
【０００２】
【背景技術】
潤滑継手は一般的に第１及び第２部材の間のシール手段を使用する。第１及び第２部材の間の磨耗を減少させるために継手中に潤滑剤を追加すると、シール手段周りの圧力が一般的に増加する。
【０００３】
シール手段周りの圧力が増加すると、シール手段が損傷するか或いはシール手段の密封能力が完全に破壊される。これらの問題を回避するために、シール手段周りの過剰の圧力を逃がすことが良く知られている。
【０００４】
不幸なことに、シール手段を継手内の圧力を解放するのに使用することは、シール手段の有効性を損なうことになる。
本発明は上述した問題を克服せんとするものである。
【０００５】
【発明の開示】
本発明の１つの側面によると、中心ボアが形成された端部部分を有する第１部材と、外側表面から所定距離伸長しボア内で終端する内部流体連通手段を具備した密封継手アセンブリが提供される。
【０００６】
流体連通手段は受け取り通路と、受け取り通路の両側に配置され受け取り通路と流体的に連通している第１及び第２排出通路とを含んでいる。第２部材が第１部材に移動可能に連結されており、ボア内に摺動可能に配置されている。第２部材と第１部材で継手を画成している。
【０００７】
一対の離間したシール手段がボア中のアニュラス（環状路）中に配置されて、第２部材の周囲を包囲している。一対のシール手段の各々は内側表面と外側表面を有している。
【０００８】
一対のシール手段の近辺のボア中にはキャビティが画成されており、流体連通手段と流体的に連通している。一対のキャビティ中に流体を溜めるために、受け取り通路中の流体を継手に差し向ける手段が設けられている。
【０００９】
一対のキャビティ中に流体が溜まると、キャビティ中での可変圧力が確立される。一対のシール手段周りの流体圧力の上昇を防止するために、第１及び第２排出通路に流体的に連通する端部部分内に、一対のキャビティ中の流体圧力を均一化する手段が配置されている。
【００１０】
本発明の他の側面によると、ボアが画成された端部部分を有するイコライザバーを具備した、建設機械のイコライザバーに使用する密封ピン継手アセンブリが提供される。
【００１１】
内部流体連通手段が外部表面から所定距離伸長して、ボア内で終端している。流体連通手段は受け取り通路と、この受け取り通路に流体的に連通された一対の排出通路とを含んでいる。
【００１２】
ピンがイコライザバーと移動可能に連結されており、ボア中に摺動可能に配置されてピン継手を画成している。一対のシール手段がボア中の環状路内に配置されており、ピンの周囲を包囲している。
【００１３】
一対のシール手段の各々は内側表面と外側表面を有している。軸受アセンブリが一対のシール手段の間のボア中に配置されており、ピンの外周を包囲している。
【００１４】
軸受アセンブリはその端部がシール手段の内側表面の近辺に位置して、流体連通手段と流体的に接続された一対のキャビティを両者の間に画成している。一対のキャビティの一方は一対の排出通路の一方と作動的に関連しており、一対のキャビティの他方は一対の排出通路の他方と作動的に関連している。
【００１５】
受け取り通路中の流体をピン継手に差し向けて、一対のキャビティ中に流体を蓄積させる手段が設けられている。一対のキャビティ中での流体の蓄積はキャビティ中での可変圧力を確立する。
【００１６】
一対のシール手段周りの流体圧力の上昇を防止するために、第１及び第２排出通路と流体的に連通された端部部分中に一対のキャビティ中の流体の圧力を均一にする手段が設けられている。
【００１７】
本発明は、作動中にシール手段周りの圧力が過度に上昇してシール手段が損傷されないように、密封継手中の圧力を均一化する手段を含んでいる。
【００１８】
【発明を実施するための最良の態様】
建設機械（図示せず）のイコライザバー１０が図１乃至図３に示されている。イコライザバー１０は中央部分１４と、一対の端部部分１８，２２を有している。
【００１９】
明瞭化のために、端部部分１８のみについて詳細に説明する。しかし、端部部分２２も端部部分１８と同様に機能する同様な特徴を有していることに注意されたい。
【００２０】
端部部分１８はボア２６と、外側表面３０と、互いに対向する一対の離間した側壁３４，３８とを有している。ボア２６は図３に示されているように一対の環状路４２，４６を有している。
【００２１】
環状路４２，４６はそれぞれ側壁３４，３８に近接してボア２６中に配置されている。球面軸受アセンブリ５０がボア２６中に圧入されて、ボア２６の表面を実質上覆っている。
【００２２】
球面軸受アセンブリ５０はボア５４を有している。例えばリップシールのような適当なタイプの一対のシール５８，６０がボア２６中に位置付けされている。シール５８は環状路４２中に配置されており、シール６０は環状路４６中に配置されている。
【００２３】
シール５８，６０は軸受アセンブリ５０の反対側に位置付けされており、各シール５８，６０は軸受アセンブリ５０に対向する内側表面６２と、軸受アセンブリ５０に面しない外側表面６６を有している。シール５８，６０の内側表面６２は軸受アセンブリ５０の両側近辺に配置されて、軸受アセンブリとの間に一対のキャビティ７０，７２を画成している。
【００２４】
ピン７４が軸受アセンブリ５０のボア５４中に摺動可能に配置されてイコライザバー１０と移動可能に連結され、ピン継手アセンブリ７８を画成している。シール５８，６０がピン７４の外周を包囲し、ボア２６中を密封している。
【００２５】
軸受アセンブリ５０を使用せずに適当な嵌め合いを提供するような方法で、ピン７４がイコライザバー１０のボア２６中に摺動可能に配置されるように構成してもよい。
【００２６】
図３に最も良く示されるように、内部流体連通手段８２が端部部分１８中に位置付けされていて、外側表面３０から伸長し軸受アセンブリ５０のボア２６中で終端している。
【００２７】
内部流体連通手段８２は第１及び第２端部部分８７，８８を有する受け取り通路８６を含んでいる。受け取り通路８６の第１端部部分８７は外側表面３０から内側に所定距離伸長して端部部分１８中で終端しているカウンターボア８９である。
【００２８】
第２端部部分８８は、カウンターボア８９から伸長して軸受アセンブリ５０の中央部分９１に近接して終端しているグリース通路９０である。カウンターボア８９はグリース通路９０よりも大きな直径を有している。
【００２９】
プラグ９２がカウンターボア８９中に部分的に螺合されて、カウンターボア８９を大気から密封する。内部流体連通手段８２は更に、各シール５８，６０の間の受け取り通路８６の両側に位置する一対の排出通路９４，９８を含んでいる。
【００３０】
排出通路９４，９８は外側表面３０から伸長して、軸受アセンブリ５０の両側で終端し、カウンターボア８９及び各キャビティ７０，７２と流体的に連通している。
【００３１】
排出通路９４，９８は実質上各シール５８，６０に隣接して配置されており、好ましくはシール５８，６０に近接して配置されている。横断通路１０２が排出通路９４、カウンターボア８９及び排出通路９８を通って伸長しており、これらを流体的に連通している。
【００３２】
複数のプラグ１０３が排出通路９４，９８と横断通路１０２の大気開放端に螺合されており、ピン継手アセンブリ７８を実質上密封している。
ヘッド１０６とテーパ状ネジ付きボディ１１０を有するグリース注入器１０４が、受け取り通路８６中に部分的に挿入されている。
【００３３】
ネジ付きボディ１１０がグリース通路９０に所定距離螺合して受け入れられ、ヘッド１０６がカウンターボア８９中に部分的に伸長している。グリース注入器１０４は、グリースポンプのような良く知られた方法で受け取り通路８６及びグリース通路９０を介して、潤滑グリース又は潤滑油のような適当なタイプの潤滑流体をピン継手アセンブリ７８に供給する手段１１４を提供する。
【００３４】
しかし、潤滑流体を受け取り通路８６中に供給するいかなる適当な方法も使用可能であることに注意すべきである。ピン継手アセンブリ７８の潤滑の間に、潤滑流体の供給がピン継手アセンブリ７８中の顕著な圧力の変化を引き起こし、潤滑流体がキャビティ７０，７２中で蓄積されてキャビティ中での可変圧力Ｐを確立する。
【００３５】
キャビティ７０，７２中での圧力Ｐの均一化手段１２０は、排出通路９４，９８と横断通路１０２の位置を通して達成される。
【００３６】
【産業上の利用可能性】
ピン継手アセンブリ７８中の磨耗を減少するために、プラグ９２を取り外して潤滑流体がグリース注入器１０４を介してグリース通路９０中に強制的に注入される。
【００３７】
潤滑流体は軸受アセンブリ５０を通過して、軸受アセンブリ５０とシール５８，６０の間のキャビティ７０，７２中に実質上蓄積される。潤滑流体の追加供給中に、潤滑流体中にエアポケットが形成されることがある。
【００３８】
ピン継手アセンブリ７８を潤滑流体で完全に充填するために、潤滑流体中の空気は排出通路９４，９８を介して横断通路１０２中に排出され、更にカウンターボア８９を介して大気に排出される。
【００３９】
同時に、潤滑流体の充填過剰及び過剰圧力を防止するために、過剰の潤滑流体は同様な方法で大気中に排出される。ピン継手アセンブリ７８中に潤滑流体を充填した後、カウンターボア８９中にプラグ９２が挿入される。
【００４０】
キャビティ７０，７２中に実質上蓄積された潤滑流体は、ピン継手アセンブリ７８の作動によって変動し、システム中の潤滑流体の量によって変化する内部圧力Ｐを有している。
【００４１】
作動中でのシール５８，６０周りの圧力の上昇を防止するために、潤滑流体が排出通路９４，９８及び横断通路１０２を通過することにより、キャビティ７０，７２中の圧力Ｐは均一化される。
【００４２】
圧力の均一化はシールされたピン継手アセンブリ７８中で発生するので、潤滑流体が大気中に漏れ出すことはない。ピン継手アセンブリ７８中での圧力を均一化する能力が、シール５８，６０が膨らんでシールが損傷を受けることから保護する。
【００４３】
排出通路９４，９８をシール５８，６０及び横断通路１０２に対して近接して配置したことにより、シール５８，６０を過剰な圧力から保護する有効な手段を提供できる。
【００４４】
【発明の効果】
上述したように、本発明によると、潤滑されている密封継手アセンブリ中で各通路を所定の関係で配置することにより、密封継手アセンブリ中での過剰な圧力からシールを有効に保護する安価な手段を提供することができる。
【図面の簡単な説明】
【図１】本発明を具備したイコライザバーの概略的正面図である。
【図２】図１に示されたイコライザバーの平面図である。
【図３】図１の３−３線に沿った拡大断面図である。
【符号の説明】
１０  イコライザバー
１８，２２  端部部分
２６  ボア
５０  球面軸受アセンブリ
５８，６０  シール
７４  ピン
７８  ピン継手アセンブリ
８２  流体連通手段
８６  受け取り通路
８９  カウンターボア
９０  グリース通路
９２  プラグ
９４，９８  排出通路
１０２  横断通路
１０４  グリース注入器
【図１】
0003966391.tif 000002
【図２】
0003966391.tif 000003
【図３】
0003966391.tif 000004